(57)【特許請求の範囲】
【請求項１】
本体部と、この本体部に開閉自在に設けられた蓋部と、前記本体部に設けられたロール紙の収納室と、前記蓋部に設けられるとともに前記収納室から導出路に沿って導出される前記ロール紙を印字する印字部と、この印字部に対向して前記本体部に設けられたプラテンとを備え、前記プラテンの回転軸を中心に剥離体を回動自在に設け、前記蓋部には前記導出路の延長線上に第一の排出口を設けるとともに、前記蓋部を閉じることにより、前記蓋部の先端と前記本体部との間に第二の排出口が形成される携帯プリンタ。
【請求項２】
プラテンの回転軸に回動自在なレバーを設けるとともに、このレバーに剥離体を設けた請求項１に記載の携帯プリンタ。
【請求項３】
レバーの先端に凹凸部を設けた請求項２に記載の携帯プリンタ。
【請求項４】
レバーの先端に弾性体を設けた請求項２に記載の携帯プリンタ。
【請求項５】
蓋部にはレバーのストッパを設けた請求項２に記載の携帯プリンタ。
【請求項６】
レバーに凸部を形成するとともに、この凸部を押圧するバネを設けた請求項２に記載の携帯プリンタ。
【請求項７】
第二の排出口を形成する蓋部の先端にカッタを設けた請求項１に記載の携帯プリンタ。
【請求項８】
蓋部を閉じたときカッタが露出するとともに、前記蓋部を開けたとき前記カッタが前記蓋部に収納される請求項７に記載の携帯プリンタ。
【請求項９】
蓋部に設けられるとともに収納室の一部を形成するロール紙ガイドと、このロール紙ガイドと導出路の天面との接合部に曲面を形成し、この曲面の半径はラベル紙の紙管の半径以上とした請求項１に記載の携帯プリンタ。
【請求項１０】
ラベル紙の紙幅の内側に対応する接合部にリブを設けた請求項９に記載の携帯プリンタ。
【請求項１１】
リブを複数個設けた請求項１０に記載の携帯プリンタ。
【請求項１２】
リブはラベル紙の進行方向に対して平行に設けられた請求項１１に記載の携帯プリンタ。
【請求項１３】
リブの天面は半円状とした請求項１１に記載の携帯プリンタ。
【発明の詳細な説明】
【０００１】
【発明の属する技術分野】
本発明はラベル紙あるいは連続紙のどちらのロール紙にも使用できる携帯プリンタに関するものである。
【０００２】
【従来の技術】
以下、従来の携帯プリンタについて説明する。
【０００３】
従来の携帯プリンタは図１５に示すように本体部１と、この本体部１に開閉自在に設けられた蓋部２とから成っていた。そして本体部１にはロール紙１６の収納室４が設けられていた。また蓋部２にはロール紙１６を印刷するサーマルヘッド５が設けられており、このサーマルヘッド５に対向した本体部１側にプラテン６が設けられていた。また７はローラであり、ロール紙送りのために使用されるものである。８はロール紙１６の導出路９の延長線上に設けられた第一の排出口であり、ラベル紙２８（図示せず）から剥離紙２９（図示せず）が分離されたラベル３０（図示せず）の排出口である。また１０は第二の排出口であり、蓋部２の先端と本体部１の間に形成されている。この第二の排出口１０からはラベル紙２８のラベル３０が分離された剥離紙２９あるいは連続紙３４（図示せず）が排出される。
【０００４】
以上のように構成された携帯プリンタについて、以下にその操作を説明する。収納室４に収納されるロール紙１６には、ラベル３０が貼り付けられたラベル紙２８と連続印字される連続紙３４との二種類がある。このうちラベル紙２８を装着する場合にはラベル３０の貼り付けられたラベル紙２８を収納室４に入れ、ラベル紙２８は導出路９に沿って第二の排出口１０側に装着して、蓋部２を閉じる。そしてこの状態で印字する。ラベル３０は硬いので導出路９の延長線上にある第一の排出口８から排出されるとともに、ラベル３０が貼り付けられていた剥離紙２９は第二の排出口１０から排出される。
【０００５】
一方連続紙３４を装着する場合には、連続紙３４の先端を第一の排出口８に通して蓋部２を閉じるものであった。すなわちラベル紙２８の場合には第二の排出口１０に設定していたが、連続紙３４の場合には第一の排出口８を通して設定していた。このようにロール紙１６の違いにより、その設定方法が別々であった。
【０００６】
なおこれに類する技術として、例えば特開平８−２９５３２３号公報がある。
【０００７】
【発明が解決しようとする課題】
しかしながらこのような従来の構成では、二種類あるロール紙１６のうち、ラベル紙２８の場合には第二の排出口１０に設定し、連続紙３４の場合には第一の排出口８を通すというように、このロール紙１６の違いによりそれぞれ違う排出口に設定しなければならず、その操作は大変面倒なものであった。
【０００８】
そこで本発明はこのような問題点を解決するもので、操作性のよい携帯プリンタを提供することを目的としたものである。
【０００９】
【課題を解決するための手段】
この目的を達成するために本発明の携帯プリンタは、プラテンの回転軸を中心に剥離体を回動自在に設け、蓋部に導出路の延長線上に第一の排出口を設けるとともに、前記蓋部を閉じることにより前記蓋部の先端と、本体部との間に第二の排出口が形成される構成としたものである。
【００１０】
これにより操作性の向上を図ることができる。
【００１１】
【発明の実施の形態】
本発明の請求項１に記載の発明は、本体部と、この本体部に開閉自在に設けられた蓋部と、前記本体部に設けられたロール紙の収納室と、前記蓋部に設けられるとともに前記収納室から導出路に沿って導出される前記ロール紙を印字する印字部と、この印字部に対向して前記本体部に設けられたプラテンとを備え、前記プラテンの回転軸を中心に剥離体を回動自在に設け、前記蓋部には前記導出路の延長線上に第一の排出口を設けるとともに、前記蓋部を閉じることにより、前記蓋部の先端と前記本体部との間に第二の排出口が形成される携帯プリンタであり、このようにプラテンの回転軸を中心に剥離体を回動自在に設けているので、二種類のロール紙すなわちラベル紙と連続紙のどちらであったとしても、レバーを回動させることにより同一の方法で装着することができる。従って操作性は非常によいものである。
【００１２】
請求項２に記載の発明は、プラテンの回転軸に回動自在なレバーを設けるとともに、このレバーに剥離体を設けた請求項１に記載の携帯プリンタであり、このように剥離体にはレバーを設けているので、剥離体の回動を容易に操作することができる。
【００１３】
請求項３に記載の発明は、レバーの先端に凹凸部を設けた請求項２に記載の携帯プリンタであり、このようにレバーの先端に凹凸部を設けているので滑ることがなく、確実なレバー操作ができる。
【００１４】
請求項４に記載の発明は、レバーの先端に弾性体を設けた請求項２に記載の携帯プリンタであり、このようにレバーの先端に弾性体を設けることにより、滑ることはなく確実なレバー操作ができる。
【００１５】
請求項５に記載の発明の蓋部には、レバーのストッパを設けた請求項２に記載の携帯プリンタであり、このように蓋部にはレバーのストッパを設けているので、蓋部を閉じたときレバーが動くことがなく、確実な印字ができるものである。
【００１６】
請求項６に記載の発明は、レバーに凸部を形成するとともに、この凸部を押圧するバネを設けた請求項２に記載の携帯プリンタであり、このように凸部とバネにより剥離体の位置をあらかじめ定められた二つの位置に確実に半固定することができる。またこのことによりクリック感があり操作性がよい。
【００１７】
請求項７に記載の発明は、第二の排出口を形成する蓋部の先端にカッタを設けた請求項１に記載の携帯プリンタであり、このように蓋部の先端にカッタを設けているので、ロール紙がラベル紙であっても連続紙であっても一つのカッタで両方を切断することができる。
【００１８】
請求項８に記載の発明は、蓋部を閉じたときにカッタが露出するとともに、前記蓋部を開けたとき前記カッタが前記蓋部に収納される請求項７に記載の携帯プリンタであり、このようにすることにより蓋を開けたときには、カッタが収納されるので安全である。
【００１９】
請求項９に記載の発明は、蓋部に設けられるとともに収納室の一部を形成するロール紙ガイドと、このロール紙ガイドと導出路の天面との接合部に曲面を形成し、この曲面の半径はラベル紙の紙管の半径以上とした請求項１に記載の携帯プリンタであり、このように接続部を曲面状にしているので、例え外巻きのラベル紙であってもスムーズにラベル紙を導出することができる。
【００２０】
請求項１０に記載の発明は、ラベル紙の紙幅の内側に対応する接合部にリブを設けた請求項９に記載の携帯プリンタであり、例えラベル紙に塗布してある糊が接続部で圧接されて導出される際はみ出しても、接続部に付着するので、ラベル紙はリブ上をスムーズに導出される。すなわちジャムることはない。
【００２１】
請求項１１に記載の発明は、リブを複数個設けた請求項１０に記載の携帯プリンタであり、種々のラベル紙の紙幅に対応することができる。
【００２２】
請求項１２に記載の発明は、リブはラベル紙の進行方向に対して平行に設けた請求項１１に記載の携帯プリンタであり、ラベル紙を平行に導出させることができる。またラベル紙と接続部の摩擦も少ない。
【００２３】
請求項１３に記載の発明は、リブの天面は半円状とした請求項１１に記載の携帯プリンタであり、ラベル紙を導出する際、摩擦を少なくすることができる。
【００２４】
以下、本発明の実施の形態を、図面に基づいて説明する。
（実施の形態１）
図２は実施の形態１における本発明の携帯プリンタの斜視図である。図２において１１は樹脂で成形された本体部であり、この本体部１１には回動自在に設けられた蓋部１２が設けられている。そしてこの蓋部１２には第一の排出口１３が設けられており、この蓋部１２の先端と本体部１１との間には第二の排出口１４が設けられている。そしてこの大きさは、略横寸法が１３０mm、縦寸法が９７mm、高さ寸法が５０mmの大きさである。なお、４０は電源スイッチであり、４１は再発行ボタンである。また、４２は携帯プリンタの状態を示す発光ダイオードである。
【００２５】
次に図１は、この携帯プリンタの断面図である。図１において１５はロール紙１６が収納される収納室である。１７は蓋部１２に設けられたサーマルヘッド（プリンタの一例として用いた）である。またこのサーマルヘッド１７に対向した位置の本体部１１にはプラテン１８が設けられている。１９はロール紙１６を収納室１５に挿入したときに、ロール紙１６が導出される導出路である。そしてこの導出路１９の延長線上にラベル紙のラベルが排出される第一の排出口１３が蓋部１２に設けられている。また１４は第二の排出口であり、蓋部１２の先端２０と本体部１１の上部２１との間で形成されている。そしてこの第二の排出口１４からはラベルが剥離された剥離紙と連続紙のいずれかが排出される。また２２は剥離体であり、この剥離体２２は図３に示すように、プラテン１８の回転軸２３にレバー２４を両端に回動自在に装着し、そのレバー２４の間に剥離体２２をプラテン１８に対向して設けている。そして剥離体２２は、レバー２４を動かすことにより、図４に示すようにＡ方向あるいはＢ方向に回動できるようになっている。また図３においてこのレバー２４の先端には凹凸部２５が設けられている。なおこの凹凸部２５は、レバー２４が滑らないように確実に操作するためのものであり、これは凹凸部２５でも良いしあるいはスポンジとかゴムなどで形成される弾性体であってもかまわない。
【００２６】
次に図４はこのレバー２４の側面を示したものである。レバー２４には凸部２６が設けられており、この凸部２６を押圧するようにバネ２７が設けられている。このレバー２４をＡ方向あるいはＢ方向に回動したとき、このバネ２７と凸部２６により確実に両方向の定められた位置に止まるように切り換えられ、さらにクリック感を持たせて操作性の向上を図っている。すなわち剥離体２２をＡ方向に倒すと、ラベルは硬いので導出路１９に沿って第一の排出口１３から排出され、ラベルが剥がれた剥離紙は軟らかいので剥離体２２の先端に沿って曲がり、第二の排出口１４から排出される。また、連続紙は剥離体２２をＢ方向に倒すことにより、第二の排出口１４からスムーズに排出される。この剥離体２２は、直径約２mmのステンレス製のシャフトで形成されている。
【００２７】
図５はラベル紙２８を説明するための図である。ラベル紙２８は、剥離紙２９の上に分離可能に設けられたラベル３０が貼り付けられたものである。
【００２８】
次に図６を説明する。図６において３１は蓋部１２に設けられたストッパであり、蓋部１２を閉じたときレバー２４が嵌合するように設けられたものである。またこの蓋部１２の先端２０には、カッタ３２が設けられている。このカッタ３２は蓋部１２を閉じたときに露出するとともに蓋部１２を開けたときには蓋部１２に収納されるようになっており、たとえ蓋部１２を開けたとしても安全であるように設けられている。
【００２９】
ロール紙１６にはラベル紙２８と連続紙３４とがあり、図６においては、ラベル紙２８を収納室１５に収納し、このラベル紙２８の一端を導出路１９に沿わせて外部に出す。このときレバー２４はＡ方向に倒しておく。この状態で蓋部１２を閉じることにより、レバー２４はストッパ３１に嵌合して、レバー２４が動かないように係止される。その状態を示したのが図７である。この状態でプラテン１８とこのプラテン１８に当接して回転するローラ３３により、ラベル紙２８は搬送されるものである。この時サーマルヘッド１７でラベル３０に印刷される。印刷されたラベル３０は、第一の排出口１３から排出されるとともに、剥離紙２９は第二の排出口１４から排出されるようになっている。そしてこの剥離紙２９は蓋部１２の先端に設けられたカッタ３２で切断することができる。
【００３０】
次に連続紙３４の場合について、図８を用いて説明する。ロール紙である連続紙３４を収納室１５に収納し、ラベル紙２８と同様にこの連続紙３４の先端を導出路１９に沿って、第二の排出口１４へ導出する。この時レバー２４をＢ方向に倒して、蓋部１２を閉じる。この場合も連続紙３４は蓋部１２の先端に設けたカッタ３２で切断することができる。
【００３１】
（実施の形態２）
ロール紙１６には図９（ａ）に示すように、紙管５０に巻いたラベル紙においてラベル３０が剥離紙２９の内側に巻かれたラベル紙５１と、図９（ｂ）に示すように紙管５０に巻かれたラベル紙においてラベル３０が剥離紙２９の外側に巻かれたラベル紙５２の二種類がある。実施の形態１で説明したのは内巻きのラベル紙５１を用いるものである。実施の形態１の装置において、外巻きのラベル紙５２を使用すると収納室１５からラベル紙５２が導出路１９へ導かれるときに、その途中の接続部においてラベル紙５２がスムーズに導出されない。すなわちジャムることがあった。このジャムりを改善したのが、実施の形態２である。
【００３２】
図１０は、実施の形態２における携帯プリンタの断面図である。図１０において１１は本体部であり、５３はこの本体部１１に回動自在に設けられた蓋部である。この蓋部５３には、収納室１５を形成するロール紙ガイド５４が設けられている。このロール紙ガイド５４は、半円形をしており、このロール紙ガイド５４の一方の端５４ａと、導出路１９の接続部５５は曲面で形成されている。この曲面の半径５６はラベル紙５２の紙管５０あるいはロール紙の内径の半径よりも大きくしておくことが望ましい。このことによりロール紙５２は、ジャムることなくスムーズに導出路１９に導出できるものである。
【００３３】
図１１は、ラベル紙５２と接続部５５との関係である。ここで接続部５５にはリブ５７を設けている。このリブ５７は、ラベル紙５２の紙幅の内側に対応して設けている。これによりラベル紙５２において、ラベル３０を貼り付けている糊が圧接した際にはみ出したとしても、糊が接続部５５に付着し、ラベル紙５２はリブ５７上をジャムることなくスムーズに導出される。
【００３４】
図１２は、接続部５５上に６個のリブ５８を設けた例である。このように接続部５５上にリブ５８を複数個設けることにより、例えラベル紙５２の紙幅が変わったとしても対応することができる。すなわち種々の紙幅を持つラベル紙に対応することができる。
【００３５】
図１３は、接続部５５の平面図である。これには複数個のリブ５８がラベル紙の導出方向と平行に配置されている。このことによりラベル紙５２を導出方向に対し平行に導出することができる。またラベル紙５２とリブ５８との間の摩擦抵抗を少なくすることができる。したがってラベル紙をスムーズに導出することができる。
【００３６】
図１４は、リブ５８の断面形状を示している。図１４（ａ）はリブ５８の天面を円形状にしたものである。このことにより、より摩擦抵抗が少なくなる。図１４（ｂ）は天面を平坦にするとともに、その両端にアールを設けたものである。図１４（ｃ）は天面を鋭角にしたものである。
【００３７】
【発明の効果】
以上のように本発明によれば、本体部と、この本体部に開閉自在に設けられた蓋部と、前記本体部に設けられたロール紙の収納室と、前記蓋部に設けられるとともに前記収納室から導出路に沿って導出される前記ロール紙を印字する印字部と、この印字部に対向して前記本体部に設けられたプラテンとを備え、前記プラテンの回転軸を中心に剥離体を回動自在に設け、前記蓋部には前記導出路の延長線上に第一の排出口を設けるとともに、前記蓋部を閉じることにより、前記蓋部の先端と前記本体部との間に第二の排出口が形成される携帯プリンタであり、このようにプラテンの回転軸を中心に剥離体を回動自在に設けているので、二種類のロール紙すなわちラベル紙と連続紙のどちらであったとしても、レバーを回動させることにより同一の方法で装着することができる。従って操作性は非常に良い携帯プリンタが提供できる。
【図面の簡単な説明】
【図１】本発明の実施の形態１における携帯プリンタの断面図
【図２】同、斜視図
【図３】同、要部である剥離体とその近傍の正面図
【図４】同、要部であるレバーとその近傍の側面図
【図５】ラベル紙の平面図
【図６】本発明の実施の形態１の第二の状態における携帯プリンタの断面図
【図７】同、第三の状態における断面図
【図８】同、第四の状態における断面図
【図９】（ａ）は、内巻きラベル紙の側面図
（ｂ）は、同、外巻きラベル紙の側面図
【図１０】本発明の実施の形態２における携帯プリンタの断面図
【図１１】同、要部側面図
【図１２】同、他の例による要部側面図
【図１３】同、平面図
【図１４】（ａ）は、同、接続部に設けられたリブの第一の断面図
（ｂ）は、同、接続部に設けられたリブの第二の断面図
（ｃ）は、同、接続部に設けられたリブの第三の断面図
【図１５】従来の携帯プリンタの断面図
【符号の説明】
１１  本体部
１２  蓋部
１３  第一の排出口
１４  第二の排出口
１５  収納室
１６  ロール紙
１７  サーマルヘッド
１８  プラテン
１９  導出路
２０  蓋部の先端
２１  本体部の上部
２４  レバー
【図１】
0003991423.tif 000002
【図２】
0003991423.tif 000003
【図３】
0003991423.tif 000004
【図４】
0003991423.tif 000005
【図５】
0003991423.tif 000006
【図６】
0003991423.tif 000007
【図７】
0003991423.tif 000008
【図８】
0003991423.tif 000009
【図９】
0003991423.tif 000010
【図１０】
0003991423.tif 000011
【図１１】
0003991423.tif 000012
【図１２】
0003991423.tif 000013
【図１３】
0003991423.tif 000014
【図１４】
0003991423.tif 000015
【図１５】
0003991423.tif 000016